(57)【要約】【課題】テープ状記録媒体の引き出しのためにテープ状記録媒体の先端に固定されるリーダ部材の組立性を向上できるテープカートリッジを提供する。【解決手段】このテープカートリッジは、磁気記録テープＴがその周囲に巻回されるリールハブ部を回転可能に内部に含むとともに磁気記録テープの先端８３を保持し固定するリーダ部材８を備え、リーダ部材が、一対の鍔部８１ｂ、８１ｃ間に磁気記録テープが位置するピン部材８１と、円筒体の両端面に渡って円筒体長手方向に形成された開口８２ａから鍔部間に嵌り込んでピン部材との間で磁気記録テープをクランプするクランプ部材８２と、を備え、クランプ部材の開口の端部に面取り部８６を設けた。【選択図】  図５
2004296001.tif 000002
【特許請求の範囲】
【請求項１】
テープ状記録媒体がその周囲に巻回されるリールハブ部を回転可能に内部に含むとともに前記テープ状記録媒体の先端を保持し固定するリーダ部材を備えるテープカートリッジであって、
前記リーダ部材が、一対の鍔部間に前記テープ状記録媒体が位置するピン部材と、円筒体の両端面に渡って円筒体長手方向に形成された開口から前記鍔部間に嵌り込んで前記ピン部材との間で前記テープ状記録媒体をクランプするクランプ部材と、を備え、
前記クランプ部材の開口の端部に面取り部を設けたことを特徴とするテープカートリッジ。
【請求項２】
前記面取り部は、前記鍔部に対向する前記円筒体の端面と前記開口の前記長手方向に延びる側面と前記円筒体の外周面とにわたって形成されていることを特徴とする請求項１に記載のテープカートリッジ。
【請求項３】
前記面取り部は、前記開口を挟んで対向する肩部の両方に設けられていることを特徴とする請求項１または２に記載のテープカートリッジ。
【発明の詳細な説明】
【０００１】
【発明の属する技術分野】
本発明は、外部に引き出されるテープ状記録媒体の先端に取り付けられるリーダ部材を備えるテープカートリッジに関する。
【０００２】
【従来の技術】
１リールタイプのテープカートリッジは、上フランジと下フランジとからなる単一のリールハブ部を内部に有し、そのハブ部の周囲にテープ状記録媒体が巻回されており、コンピュータ用のバックアップデータ保存等のために使用されている。かかるテープカートリッジがコンピュータ用の磁気記録再生装置に装着されると、内部のリールハブ部のハブ周囲に巻回されたテープ状記録媒体が引き出されて磁気記録再生装置側のリールハブ部に巻回されて両者間でテープ状記録媒体が走行することで、記録・再生が行われるようになっている。
【０００３】
上述のようなテープカートリッジから引き出されるテープ状記録媒体の先端部分に取り付けられるリーダ部材を図１０に示す。図のように、リーダ部材１００はピン部材１０１とクランプ部材１０２とから構成され、テープ状記録媒体１１０の先端部分がピン部材１０１の周囲にクランプ部材１０２によってクランプされて保持される。テープカートリッジが記録再生装置に装着されたときにリーダ部材１００がピン部材１０１の両端の係合部１０２で装置側のテープ引出し機構と係合するようになっている（下記特許文献１参照）。
【０００４】
図１０のようなリーダ部材１００を組み立てるとき、テープ状記録媒体１１０をピン部材１０１とクランプ部材１０２との間に位置決めてクランプ部材１０２を開口部１０２ａから鍔部１０３の内側のピン部材１０１の外周面に押し込んで挟み込む。このとき、クランプ部材１０２の長さ及び鍔部１０３間の距離に関する規定クリアランスが厳しいため、ピン部材１０１やクランプ部材１０２の製造誤差等によってクランプ部材１０２を鍔部１０３の間に無理に押し込むことが発生し、このため、鍔部が変形してしまう不具合が生じることがあり、リーダ部材１００の組立性が悪化し、組み立て効率が低下していた。
【０００５】
【特許文献１】
特開平１１−１８５４３５号公報
【０００６】
【発明が解決しようとする課題】
本発明は、上述のような従来技術の問題に鑑み、テープ状記録媒体の引き出しのためにテープ状記録媒体の先端に固定されるリーダ部材の組立性を向上できるテープカートリッジを提供することを目的とする。
【０００７】
【課題を解決するための手段】
本発明によるテープカートリッジは、テープ状記録媒体がその周囲に巻回されるリールハブ部を回転可能に内部に含むとともに前記テープ状記録媒体の先端を保持し固定するリーダ部材を備えるテープカートリッジであって、前記リーダ部材が、一対の鍔部間に前記テープ状記録媒体が位置するピン部材と、円筒体の両端面に渡って円筒体長手方向に形成された開口から前記鍔部間に嵌り込んで前記ピン部材との間で前記テープ状記録媒体をクランプするクランプ部材と、を備え、前記クランプ部材の開口の端部に面取り部を設けたことを特徴とする。
【０００８】
このテープカートリッジによれば、ピン部材の鍔部間にテープ状記録媒体を挟んでクランプ部材を開口から嵌め込む際に、開口の端部に設けた面取り部があるため、クランプ部材をピン部材の鍔部間に嵌め込むことが容易となる。このため、クランプ部材のピン部材への嵌め込みに支障が生じなく、リーダ部材の組立性が向上する。
【０００９】
上記テープカートリッジにおいて前記面取り部は、前記鍔部に対向する前記円筒体の端面と前記開口の前記長手方向に延びる側面と前記円筒体の外周面とにわたって形成されていることが好ましい。例えば、これら３つの面が交差する開口端の肩部に前記面取り部を設けることができる。また、前記面取り部は、前記開口を挟んで対向する肩部の両方に設けられていることが好ましい。
【００１０】
【発明の実施の形態】
以下、本発明による実施の形態について図面を用いて説明する。図１は本発明の実施の形態によるテープカートリッジの分解斜視図、図２は図１のテープカートリッジでリールハブ部がロックされている状態を示す縦断面図、図３は同じくリールハブ部がロック解除されている状態を示す縦断面図である。なお、図１には上ケース１及びハブ３２をそれぞれ裏面側から見た斜視図を併せて示す。
【００１１】
図１に示すテープカートリッジ１００は、上ケース１と下ケース２とから矩形平面状の１リールタイプに構成され、テープ状記録媒体である磁気記録テープ（以下、単に「テープ」という場合もある。）を巻回するリールハブ部３を内部に有し、記録再生装置に装着されたときに、リールハブ部３が回転可能になるように構成されている。上ケース１と下ケース２はそれぞれ樹脂材料から成形により製造できる。
【００１２】
リールハブ部３は、上フランジ３１と、下フランジ３３と、下フランジ３３と一体に形成されその周面に磁気記録テープを巻回するハブ３２とを備える。また、図１のように、ハブ３２の下面３２ａ側には軟磁性体よりなる円形状の金属板３４が一体に設けられている。金属板３４の周囲には記録再生装置側の駆動部材８５（図３）の歯部と係合する係合歯３４ａが円周方向に三分割して設けられており、各係合歯３４ａの間には複数の孔３４ｂが下面３２ａの反対面に貫通して形成されている。金属板３４、係合歯３４ａ及び複数の孔３４ｂは下ケース２の貫通孔２１を通して外部に露出する。
【００１３】
また、ハブ３２の内側であって下面３２ａの反対面にはブレーキロック部材５の歯部５１と噛み合い係合するように多数の歯が円形状に並んだ歯部３５が円周方向に複数に分割して設けられている。歯部３５はポリカーボネート（ＰＣ）等の樹脂材料から成形で製造できるが、この場合、ガラス繊維を混入することで強度を高めるようにしてもよい。
【００１４】
図１，図２のように、ブレーキロック部材５は、ハブ３２の内側に配置され、ハブ３２の歯部３５と噛み合い係合するように多数の歯が円形状に並んだ歯部５１と、歯部５１よりも小径の円筒端面に形成された十字状の係合穴５ａと、十字状の穴５ａの周囲の端部５ｂと、歯部５１の裏面側にブレーキロックスプリング４の端部４ｂが収まるように形成されたリング状溝５ｃとを備える。ブレーキロック部材５はＰＯＭ（ポリオキシメチレン）等の樹脂材料から成形で製造できる。
【００１５】
ブレーキロック部材５は、図１，図２のように、その十字状の孔５ａに上ケース１の内面１ａに直立して設けられた複数の係合突起部１ｃが入り込んで図の上下方向に移動可能に係合して上ケース１に取り付けられる。ブレーキロックスプリング４は、その先端４ａが上ケース１の内面１ａのリング状溝１ｂにはまり込むようになっており、上ケース１のリング状溝１ｂとブレーキロック部材５のリング状溝５ｃとの間に位置し、ブレーキロック部材５を図２の方向Ｂに常時付勢して、歯部５１とハブ３２の歯部３５とが噛み合い係合することでリールハブ部３の回転を妨げてブレーキ状態にする。
【００１６】
ブレーキ解除部材６は、ハブ３２とブレーキロック部材５との間に配置され、主板６ａと、主板６ａの周囲の複数箇所から図の下方に突き出た複数の脚部６ｂとを備える。複数の脚部６ｂは、ハブ３２の下面の複数の孔３４ｂに挿入され、テープカートリッジが記録再生装置に装着されると、ブレーキ解除部材６の脚部６ｂが図の下から押されて上方に持ち上げられる。これにより、図３のようにブレーキロック部材５がブレーキ解除部材６の当て板６１を介して中心の凸状の軸受部５２でブレーキロックスプリング４の付勢力に抗して上方へ持ち上げられて端部５ｂが内面１ａに接近するように非ロック位置に移動するようになっている。
【００１７】
また、リールハブ部３に巻回された磁気記録テープの先端８３（図１の破線で示す）がリーダ部材８に固定される。リーダ部材８では、磁気記録テープの先端８３がピン部材８１に巻きつけられ、その上からクランプ部材８２が嵌め込まれることで固定される。テープカートリッジが記録再生装置に装着されると、リーダ部材８が装置側の保持部材に係合し保持されてテープ引き出し口７３（図１）から装置側に引き出されるようになっている。
【００１８】
また、テープ引き出し口７３はドア部材７によって開閉され、ドア部材７は、ばね部材１０により常時テープ引き出し口７３を閉鎖する方向へ付勢されており、記録再生装置に装着されると、装置側の開放部材（図示省略）によりばね部材１０の付勢力に抗して開放されるようになっている。
【００１９】
図１〜図３に示すテープカートリッジは、保管時等の非使用時にはブレーキロック部材５がブレーキロックスプリング４により付勢されて図２のようにロック位置まで移動し、ブレーキロック部材５の歯部５１の各歯５４とリールハブ部３のハブ３２の歯部３５の各歯とが噛み合い係合することで、リールハブ部３がブレーキ状態となって回転できず、不要な回転が防止され磁気記録テープの緩みを防止できる。
【００２０】
図５，図６によりリーダ部材について説明する。図５はクランプ部材の側面図（ａ）、ピン部材の側面図（ｂ）、及びピン部材に磁気記録テープを挟んでクランプ部材を嵌め込んだリーダ部材の横断面図（ｃ）である。図６は図５（ｃ）のリーダ部材の斜視図である。
【００２１】
図１，図５（ａ）乃至（ｃ）のように、リーダ部材８は、全体として細長い形状に形成されたピン部材８１と、ピン部材８１に嵌め込まれるクランプ部材８２と、から構成される。
【００２２】
ピン部材８１は、図５（ａ）乃至（ｃ）のように、磁気記録テープが位置し巻き付けられる心棒部８１ａと、心棒部８１ａの両端に位置し厚さが比較的薄く構成された鍔部８１ｂ、８１ｃと、両端に設けられた円板部８１ｄ、８１ｅと、鍔部８１ｂ、８１ｃと円板部８１ｄ、８１ｅとの間にそれぞれ形成された凹部状の係合部８５ａ、８５ｂと、を備える。ピン部材８１はステンレス鋼等の金属材料から構成される。
【００２３】
クランプ部材８２は、図５（ａ）、図６のように、細長い円筒形状体から構成され、その長手方向に一側端面８２ｂから他側端面８２ｃまで延びて形成された開口８２ａと、開口８２ａの端部に形成された面取り部８６と、を備える。クランプ部材８２は、ＰＣ（ポリカーボネート）、ＰＯＭ（ポリオキシメチレン）、ＰＡ（ポリアミド）等の樹脂材料から射出成形により製造することができる。
【００２４】
クランプ部材８２は、開口８２ａのため図５（ｃ）のように横断面がＣ字形状になっており、その長さが心棒部８１ａの長さに対応し、開口８２ａからピン部材８１の鍔部８１ｂと８１ｃとの間で磁気記録テープの先端部８３（図６の破線で示す）を間に挟んで心棒部８１ａに嵌め込まれることで、磁気記録テープＴの先端部８３を心棒部８１ａの外周面とクランプ部材８２の内周面との間に挟んでクランプし固定する。
【００２５】
次に、テープカートリッジが記録再生装置に装着された場合を図４を更に参照して説明する。図４は記録再生装置において図１〜図３のテープカートリッジから引き出されたテープの走行経路を概念的に示す正面図である。
【００２６】
図３に示すように、装置２００側の駆動部材８５は、ハブ３２の係合歯３４ａに係合する歯部８８がその外周に形成され、歯部８８の内周側にリング状のマグネット８７が埋め込まれている。
【００２７】
図４のように、テープカートリッジ１００が記録再生装置２００に装着されると、図３のように、装置２００側の駆動部材８５とテープカートリッジ１００とが相対的に接近し、駆動部材８５が下ケース２の貫通孔２１をとおり、駆動部材８５のマグネット８７がハブ３２の下面３２ａ側の軟磁性体よりなる金属板３４に接近し金属板３４を磁気的に吸引し、駆動部材８５の歯部８８がハブ３２の係合歯３４ａに係合する。そして、駆動部材８５の歯部８８の突起によりブレーキ解除部材６が脚部６ｂで図２の方向Ｂ’（方向Ｂと反対方向）に移動することで、ブレーキロック部材５がブレーキロックスプリング４の付勢力に抗して一定のストロークだけ移動し、図３のように非ロック位置に至り、歯部５１と歯部３５との間に隙間ができて両者の噛み合いが解除される。この結果、駆動部材８５の駆動軸８６の回転によりリールハブ部３が回転できるようになる。
【００２８】
次に、ドア部材７が記録再生装置２００側の開放部材（図示省略）により開放され、リーダ部材８が図５（ｂ）、図６の係合部８５ａ、８５ｂで装置２００側の保持部材（図示省略）に係合し保持されて磁気記録テープが装置２００側に引き出され、リールハブ部２０４のハブ周囲に巻回される。そして、テープカートリッジ１００のリールハブ部３と記録再生装置２００のリールハブ部２０４とが回転駆動されることで、図４のように、磁気記録テープＴが図の水平方向Ｘまたはその反対の水平方向Ｘ’に記録再生ヘッド２０２の両側でガイド２０１，２０３にガイドされて走行しながら記録再生ヘッド２０２により磁気記録テープＴに対し記録または再生が行われる。
【００２９】
次に、図５，図６のクランプ部材について更に図７，図８を参照して説明する。図７はクランプ部材の一端面側の要部斜視図（ａ）及びクランプ部材の一端面側の平面図（ｂ）である。図８はクランプ部材の一端面側の要部側面図である。
【００３０】
図７のように、クランプ部材８２の２つの面取り部８６，８６が円筒形状体の一側端面８２ｂ側に開口８２ａを挟んで対向するように形成されている。即ち、面取り部８６は、円筒体形状の一側端面８２ｂと、円筒体形状の外周面８２ｄと、開口８２ａにより形成されて長手方向に延びる側端面８２ｅとが交差する肩部を削り取るようにして形成されている。また、クランプ部材８２の他側端面８２ｃ側にも上述と同様の２つの面取り部８６，８６が開口８２ａを挟んで対向するように形成されている。
【００３１】
以上のようにクランプ部材８２の両側端面８２ｂ、８２ｃに形成された各面取り部８６により、図５（ａ）、（ｂ）のように、クランプ部材８２を磁気記録テープを間にしてピン部材８１の鍔部８１ｂ、８１ｃ間の心棒部８１ａに嵌め込むことが容易となる。従って、ピン部材８１やクランプ部材８２に製造誤差等が生じても、自動組み立て機によるリーダ部材８の自動組立時に、従来のようにクランプ部材８２を鍔部８１ｂ、８１ｃ間に無理に押し込むことがなくなるので、鍔部８１ｂ、８１ｃが変形してしまう不具合の発生を抑制できる。このため、リーダ部材８の組立性が向上するので、リーダ部材８の生産効率を向上できる。
【００３２】
図８のように、クランプ部材８２は、例えば長さｈが１２．６ｍｍ、幅ｄが３．２ｍｍに構成されるが、面取り部８６は、側端面８２ｅに延びた面取り長さａが０．１乃至２ｍｍ、好ましくは０．１乃至１．０ｍｍ、更に好ましくは０．３乃至０．５ｍｍである。また、面取り部８６の面取り線８６ａが側端面８２ｅとなす面取り角度θは、上記組立性の改善効果を得る点から２０度以上が好ましく、４０乃至５０度が更に好ましい。
【００３３】
以上のように本発明を実施の形態及び実施例により説明したが、本発明はこれらに限定されるものではなく、本発明の技術的思想の範囲内で各種の変形が可能である。例えば、クランプ部材８２の面取り部は、図７，図８のような形状に限定されず、例えば、図９のように、クランプ部材８２の両側端面８２ｂ、８２ｃの全体を面取りし、図８の破線で示すような面取り線８９ａで面取することで面取部８９，８９を構成してもよい。このような面取部８９によれば、クランプ部材用の成形金型の加工が容易となる。
【００３４】
【発明の効果】
本発明によれば、テープ状記録媒体の引き出しのためにテープ状記録媒体の先端に固定されるピン部材とクランプ部材とで構成されるリーダ部材の組立性を向上できるテープカートリッジを提供できる。
【図面の簡単な説明】
【図１】本実施の形態によるテープカートリッジの分解斜視図である。
【図２】リールハブ部がロック位置でロックされている状態の図１のテープカートリッジの縦断面図である。
【図３】リールハブ部が非ロック位置でロック解除されている状態の図１のテープカートリッジの縦断面図である。
【図４】図１〜図３のテープカートリッジから記録再生装置に引き出されたテープの走行経路を概念的に示す正面図である。
【図５】図１のクランプ部材の側面図（ａ）、ピン部材の側面図（ｂ）及びピン部材に磁気記録テープを挟んでクランプ部材を嵌め込んだリーダ部材の横断面図（ｃ）である。
【図６】図５（ｃ）のリーダ部材の斜視図である。
【図７】図５のクランプ部材の一端面側の要部斜視図（ａ）及びクランプ部材の一端面側の平面図（ｂ）である。
【図８】図７のクランプ部材の一端面側の要部側面図である。
【図９】図８のクランプ部材の変形例を示す側面図である。
【図１０】従来のリーダ部材のピン部材及びクランプ部材を示す斜視図である。
【符号の説明】
１００・・・テープカートリッジ
３・・・リールハブ部
８・・・リーダ部材
８１・・・ピン部材
８１ａ・・・心棒部
８１ｂ、８１ｃ・・・鍔部
８５ａ、８５ｂ・・・係合部
８２・・・クランプ部材
８２ａ・・・開口
８２ｂ、８２ｃ・・・クランプ部材の側端面
８２ｄ・・・クランプ部材の外周面
８２ｅ・・・開口８２ａの側端面
８６・・・面取り部
８６ａ・・・面取り線
８３・・・磁気記録テープの先端部
Ｔ・・・磁気記録テープ（テープ状記録媒体）
【図１】
2004296001.tif 000003
【図２】
2004296001.tif 000004
【図３】
2004296001.tif 000005
【図４】
2004296001.tif 000006
【図５】
2004296001.tif 000007
【図６】
2004296001.tif 000008
【図７】
2004296001.tif 000009
【図８】
2004296001.tif 000010
【図９】
2004296001.tif 000011
【図１０】
2004296001.tif 000012